(57)【要約】【課題】所定回数の封印を確実に実施することができると共に、封印部などを引き千切ることによる塵の発生をなくし、且つ部品の再利用を可能とした開封数制限用封印装置を提供する。【解決手段】基板ケース１または蓋体２の一部に、ラチェット機構１７を有し一方向のみに回動可能な係止ダイヤル１０が枢支される。係止ダイヤル１０には開封数の数だけ係止爪Ｔ１〜Ｔ４が係止ダイヤル１０の外周に突出して装着される。係止爪Ｔ１〜Ｔ４は係止ダイヤル１０の内側に押し込み可能で且つ再突出を不可能な状態で装着される。係止ダイヤル１０に相対した蓋体２またはケース本体１ａの一部に、係止ダイヤル１０から突出した係止爪Ｔ１〜Ｔ４が係止される係止部３が設けられる。【選択図】図１
2008104634.tif 000002
【特許請求の範囲】
【請求項１】
ケースの蓋体を予め決められた開封数の範囲内で封印する開封数制限用封印装置であって、
該ケースまたは該蓋体の一部に、ラチェット機構を有し一方向のみに回動可能な係止ダイヤルが枢支され、該係止ダイヤルには該開封数の数だけ係止爪が該係止ダイヤルの外周に突出して装着され、該係止爪は該係止ダイヤルの内側に押し込み可能で且つ再突出を不可能な状態で装着され、該係止ダイヤルに相対した該蓋体または該ケースの一部に、該係止ダイヤルから突出した該係止爪が係止される係止部が設けられたことを特徴とする開封数制限用封印装置。
【請求項２】
前記係止爪は、前記係止ダイヤルの外周に突出可能に設けられ、内側に空間を形成し、外側に逆止片を有した係止爪部材と、該係止爪部材の内側に進退可能に挿入される爪支持部材と、から構成され、該係止ダイヤル内に該係止爪部材を押し込んだ際、該逆止片が係止される係止部分を該係止ダイヤル内に設けたことを特徴とする請求項１記載の開封数制限用封印装置。
【請求項３】
前記蓋体またはケースの一部に設けられて前記係止爪が係止される係止部には、該係止爪が進入する係止凹部と該係止爪が当接する係止面が設けられたことを特徴とする請求項１または２記載の開封数制限用封印装置。
【発明の詳細な説明】
【技術分野】
【０００１】
本発明は、遊技機の基板ケースなどの封印に使用される開封数制限用封印装置に関する。
【背景技術】
【０００２】
パチンコ遊技機、スロットマシンなどの遊技機には、通常、マイクロコンピュータが搭載され、マイクロコンピュータのＲＯＭに記憶されたデータに基づき、ゲームが進行し、大当り確率などが決定される。このため、不正に遊技機を改造して多くの賞球を不正に獲得しようとする場合、このマイクロコンピュータのＲＯＭを、不正な大当り確率などを記憶したＲＯＭと交換し、大当り確率などを増大させて不正に多くの賞球を得る不正行為が行なわれる場合がある。
【０００３】
このため、ＲＯＭを含むマイクロコンピュータを実装した制御基板は、通常、基板ケースに収納され、基板ケースの蓋体は閉鎖された状態で、封印紙などで封印される。
【０００４】
しかしながら、遊技機の基板ケース内に収納される制御基板は、製造して各ホールに出荷された後、調整、修理、点検などの際、或いはホールへの検査機関の立ち入り検査などの際に、基板ケースを開いて制御基板上の回路素子を点検することがある。このため、点検や検査の際には、封印紙を剥がして基板ケースを開封する必要があり、そのような開封が予め制限された回数のみ行なわれるようにした封印装置が要望されていた。
【０００５】
そこで、従来、下記特許文献１などにおいて、基板ケースの施錠装置として、シリンダ錠による施錠機構を基板ケースのカバー部や蓋体に取り付け、そのシリンダ錠を覆うキーガードのカバー部材とケース本体間、及び蓋体とケース本体間に、複数の封印部を開封可能に設けた封印式の施錠装置が提案されている。
【特許文献１】特開２００６−１０２５５１号公報
【発明の開示】
【発明が解決しようとする課題】
【０００６】
従来のこの種の封印装置は、複数の封印部が合成樹脂などによりケース本体の一部に、引き千切り可能に形成され、基板ケースを開く場合には、封印している封印部を引き千切って除去し、その状態で、基板ケースの上蓋を開放して調整作業や点検作業を行なっていた。そして、作業終了後には、新たな封印部を使用して基板ケースを再び封印し、再度、基板ケースを開く必要が生じた場合は、再び封印している封印部を引き千切り、開封を行い、基板ケースの蓋体を開放して調整作業や点検作業を実施している。
【０００７】
このため、開封した封印部を引き千切る際、引き千切り作業をし難い場合があり、また、引き千切った後の封印部を遊技機の周囲に捨てられやすく、封印部が塵となって、塵が発生しやすいという課題があった。さらに、この種の封印装置の封印部は、通常、基板ケースのケース本体或いは蓋体の一部に合成樹脂により一体成形されて製造されるため、封印部を引き千切った後は、その基板ケースが傷物となって最早再使用することができず、基板ケースの再利用が不可能となってリサイクル性を悪化させるという課題があった。
【０００８】
本発明は、上述の課題を解決するものであり、所定回数の封印を確実に実施することができると共に、封印部などを引き千切ることによる塵の発生をなくし、且つ部品の再利用を可能とした開封数制限用封印装置を提供することを目的とする。
【課題を解決するための手段】
【０００９】
本発明に係る開封数制限用封印装置は、ケースの蓋体を予め決められた開封数の範囲内で封印する開封数制限用封印装置であって、該ケースまたは該蓋体の一部に、ラチェット機構を有し一方向のみに回動可能な係止ダイヤルが枢支され、該係止ダイヤルには該開封数の数だけ係止爪が該係止ダイヤルの外周に突出して装着され、該係止爪は係止ダイヤルの内側に押し込み可能で且つ再突出を不可能な状態で装着され、該係止ダイヤルに相対した該蓋体または該ケースの一部に、該係止ダイヤルから突出した該係止爪が係止される係止部が設けられたことを特徴とする。なお、上記蓋体は開閉可能な扉などの開閉体を含む概念である。
【００１０】
ここで、上記係止爪は、上記係止ダイヤルの外周に突出可能に設けられ、内側に空間を形成し、外側に逆止片を有した係止爪部材と、該係止爪部材の内側に進退可能に挿入される爪支持部材とから構成され、該係止ダイヤル内に該係止爪部材を押し込んだ際、該逆止片が係止される係止部分を該係止ダイヤル内に設けることができる。
【００１１】
上記蓋体またはケースの一部に設けられて、上記係止爪が係止される係止部には、該係止爪が進入する係止凹部と該係止爪が当接する係止面を設けることができる。
【発明の効果】
【００１２】
上記構成の開封数制限用封印装置は、ラチェット機構を備えた係止ダイヤルを回動可能に一方向に回してその係止爪を、相対する蓋体またはケース側の係止部に係止させる。これにより、ケースは封印される。開封する場合は、その係止爪を係止ダイヤル内に押し込み、係止を解除して開封する。開封した状態の係止爪は係止ダイヤル内に押し込まれ再突出が不可能であるため、開放したケースを再度封印する場合には、係止ダイヤルを回して新たな係止爪を相対する蓋体またはケース側の係止部に係止させて封印する。
【００１３】
このように、一度封印し開封した係止爪は再度使用できないため、予め係止ダイヤルに装着され係止爪の数だけ封印することができる。また、係止爪は係止ダイヤル内に押し込んで開封するため、従来のように封印部などを引き千切ることによる塵が発生することがなく、また、係止ダイヤルを交換すれば、ケースや蓋体などを再利用することができ、部品のリサイクル性を向上させることができる。
【発明を実施するための最良の形態】
【００１４】
以下、本発明の一実施形態を図面に基づいて説明する。図１は開封数制限用封印装置を取り付けた基板ケース１の平面図を示し、図２はその正面図を示し、図３はその断面図を示している。この基板ケース１はケース本体１ａの上部に蓋体２が開閉可能に被せられ、蓋体２は、図１の右端部に設けたヒンジを介して左端部つまり正面側を開閉可能としている。ケース本体１ａ内には、回路基板９が収容され、蓋体２の開放時の自由端側（正面側）に係止ダイヤル１０が、第１係止爪Ｔ１〜第４係止爪Ｔ４をダイヤルの外周部に突出すると共に、内側に押し込み可能に備えて、回動可能に取り付けられている。
【００１５】
ケース本体１ａの正面側に略方形形状の係止部３が突設されている。この係止部３は内側に直方体形状の係止凹部３ａが形成され、その係止凹部３ａ内に係止ダイヤル１０の第１係止爪Ｔ１〜第４係止爪Ｔ４を進入可能としている。また、蓋体２の正面側に、平面形状を方形とする環状嵌合部４が形成され、ケース本体１ａに対し蓋体２を閉じたとき、環状嵌合部４がケース本体１ａ側の係止部３の外周部に嵌り込み、その状態で係止ダイヤル１０の第１係止爪Ｔ１〜第４係止爪Ｔ４を係止凹部３ａ内に受け入れて、蓋体２の閉鎖状態をロックする構造となっている。
【００１６】
係止ダイヤル１０を取り付けるためのダイヤル取付部が蓋体２の前部に設けられる。このダイヤル取付部は、蓋体２の前部に、係止ダイヤル１０の軸部１０ａを挿入するための円形孔を穿設し、その円形孔の周囲内側に、支持円筒部１５が形成され、その支持円筒部１５内に係止ダイヤル１０の軸部１０ａに固着された回動部１６が回動可能に挿入されている。
【００１７】
支持円筒部１５内には、図５に示す如く、ラチェット機構１７が配設される。ラチェット機構１７は複数のラチェット係止部１７ｂを有し、それらのラチェット係止部１７ｂは支持円筒部１５の内側円周面に形成されている。なお、図５において、このラチェット係止部１７ｂは、支持円筒部１５の内周部に約７２度の間隔で５個形成されており、この位置は係止ダイヤル１０から突出する４本の係止爪の位置に対応するものであるが、ラチェット係止部１７ｂはより細かく多数のラチェット係止部を内周部に形成することもできる。
【００１８】
さらに、ラチェット係止部１７ｂの内側に、ラチェット爪１７ａが、係止ダイヤル１０の軸部１０ａに対し取り付けられる。ラチェット爪１７ａは、係止ダイヤル１０の軸部１０ａの下端に軸着された回動部１６の外周部に突設され、ラチェット爪１７ａは、図５の反時計方向への回動時、ラチェット係止部１７ｂに係止してその回動を阻止され、ラチェット爪１７ａは時計方向への回動のみを許容されている。
【００１９】
係止ダイヤル１０には、図７に示す如く、その外周部に４本の係止爪つまり第１係止爪Ｔ１〜第４係止爪Ｔ４が、ダイヤルの外周壁からラジアル方向に突き出し、且つダイヤル内に押し込み可能に設けられている。これら第１係止爪Ｔ１〜第４係止爪Ｔ４は、図９などに示すように、係止ダイヤル１０の外周部に、約７２度の間隔で配置され、係止爪が配置されない「Ｓ」と表示された部分は、係止ダイヤル１０を装着する際、係止部３に対向位置に合わせて装着するように使用される。また、これら第１係止爪Ｔ１〜第４係止爪Ｔ４はすべて同じ形状の板状の係止爪として形成され、図８に示すように、係止爪部材２０とその内部に押し込み可能な爪支持部材２１とから構成される。
【００２０】
係止爪部材２０は、内部に板状の空間を有した板状に形成され、その前部両側に逆止片２０ａが、ダイヤル内に係止爪部材２０を押し込んだ際、再度の突出を不可能とするように形成されている。係止爪部材２０の内部空間内には、やはり板状の爪支持部材２１がガタツキなく密に押し込み可能に挿入されている。また、図４、図７に示すように、各第１係止爪Ｔ１〜第４係止爪Ｔ４が押し込まれる係止ダイヤル１０の外周壁の内側には、係止壁１０ｂが両側に形成されている。この係止壁１０ｂには、各係止爪の係止爪部材２０の逆止片２０ａを嵌合させる嵌合部が設けられ、係止爪の突出状態を保持すると共に、ダイヤル内に係止爪部材２０を一旦押し込んだ後では、該係止爪部材２０の逆止片２０ａが、係止壁１０ｂの端部に当って、係止爪部材２０の再度の突き出しを阻止するように形成されている。
【００２１】
このような構成の第１係止爪Ｔ１〜第４係止爪Ｔ４は、図４、図７に示すように、係止ダイヤル１０の内側に押し込み可能であり、係止ダイヤル１０を蓋体２に装着する際には、第１係止爪Ｔ１〜第４係止爪Ｔ４の全てが、係止ダイヤル１０の外周壁から外側に突き出し、係止ダイヤル１０の回動に伴い、係止部３の係止凹部３ａ内に進入可能となっている。
【００２２】
また、図４に示すように、係止ダイヤル１０の図４時計方向の回動に伴い、係止凹部３ａ内に進入する第１係止爪Ｔ１〜第４係止爪Ｔ４の各々は、係止凹部３ａの内側の係止面３ｂに当接して停止し、その停止時、ラチェット機構１７に作用により係止爪は反時計方向への回動が阻止され、係止爪部材２０の上面が図３に示すように係止部３の内側面に当接するため、係止爪部材２０を含む係止ダイヤル１０は係止部３に対し確実に係止され、係止ダイヤル１０を取り付けた蓋体２も、ケース本体１ａに対しその閉鎖状態をロックされる構造となっている。
【００２３】
なお、係止ダイヤル１０に装着される第１係止爪Ｔ１〜第４係止爪Ｔ４は、識別のために異なった色に着色され或いは番号が付されて、開封回数が容易に認識可能とされている。
【００２４】
次に、上記構成の開封数制限用封印装置の動作を、主に図９〜図１２を参照して説明する。まず、本封印装置の係止ダイヤル１０は、遊技機の基板ケース１における蓋体２の正面側の端部上に、図９に示す状態で取り付けられる。つまり、係止ダイヤル１０は、係止爪がない部分をケース本体１ａ側の係止部３に対向させた状態で、装着される。
【００２５】
このとき、係止ダイヤル１０は、図３に示すように、その軸部１０ａを、蓋体２の装着位置に穿設された取付孔に挿入し、蓋体２の内側の支持円筒部１５内に、下側から回動部１６を挿入すると共に、回動部１６の軸孔に係止ダイヤル１０の軸部１０ａを嵌入し、固定ピン１８を回動部１６と軸部１０ａに穿設されたピン孔に嵌め込み、これにより、回動部１６が軸部１０ａの先端に固定され、係止ダイヤル１０は回動可能に装着される。
【００２６】
また、このとき、回動部１６の上部に位置するラチェット機構１７のラチェット爪１７ａが支持円筒部１５側のラチェット係止部１７ｂに係合され、係止ダイヤル１０は一方向（図４の時計方向）にのみ回動可能に装着されることとなる。
【００２７】
係止ダイヤル１０が図９に示す状態において、蓋体２がケース本体１ａに対し閉じられ、蓋体２の環状嵌合部４が図１、図２のように、ケース本体１ａ側から上方に突出した係止部３の外周に外嵌される。これにより、基板ケース１の蓋体２は閉鎖状態が強固に保持され、内部には回路基板９が収納される。
【００２８】
この状態で、図１０の上図に示すように、係止ダイヤル１０を時計方向に回し、外周に突出する第１係止爪Ｔ１を係止部３の係止凹部３ａ内に進入させ、係止面３ｂに第１係止爪Ｔ１が当接するまでダイヤルを回動させる。係止ダイヤル１０の軸部１０ａにはラチェット機構１７が装着されているため、第１係止爪Ｔ１が係止凹部３ａ内に進入し係止面３ｂに当接した状態で係止ダイヤル１０はロックされ、基板ケース１の蓋体２は閉鎖状態を保持されて、第１回目の封印が行なわれる。
【００２９】
第１回目の封印を開封する場合、図１０の下図に示すように、第１係止爪Ｔ１を係止ダイヤル１０内に押し込む。このとき、係止爪部材２０が係止ダイヤル１０内に進入し、このとき、係止爪部材２０の逆止片２０ａが係止壁１０ｂから外れ、その内側（軸部１０ａ側）に離脱する。この際、逆止片２０ａが拡開するため、係止壁１０ｂ内に戻ることはできず、図１０の下図に示すように、第１係止爪Ｔ１のダイヤル内への押し込み状態は保持される。よって、同図のように、係止ダイヤル１０による係止は解除されて開封状態となり、基板ケース１の蓋体２は開放可能となる。
【００３０】
この後、蓋体２を開いて内部の回路基板９の点検、調整などを行なった後、再び蓋体２を閉じて基板ケース１を封印する場合、係止ダイヤル１０を時計方向に回し、外周に突出する第２係止爪Ｔ２を係止部３の係止凹部３ａ内に進入させ、係止面３ｂに第２係止爪Ｔ２が当接するまでダイヤルを回動させる。上記の如く、係止ダイヤル１０の軸部１０ａにはラチェット機構１７が装着されているため、第２係止爪Ｔ２が係止凹部３ａ内に進入し係止面３ｂに当接した状態で係止ダイヤル１０はロックされ、基板ケース１の蓋体２は閉鎖状態を保持されて、第２回目の封印が行なわれる。
【００３１】
第２回目の封印を開封する場合、上記と同様に、第２係止爪Ｔ２を係止ダイヤル１０内に押し込む。このとき、係止爪部材２０が係止ダイヤル１０内に進入し、このとき、係止爪部材２０の逆止片２０ａが係止壁１０ｂから外れ、その内側（軸部１０ａ側）に離脱する。この際、逆止片２０ａが拡開するため、係止壁１０ｂ内に戻ることはできず、第２係止爪Ｔ２のダイヤル内への押し込み状態は保持され、係止ダイヤル１０による係止は解除されて開封状態となり、基板ケース１の蓋体２は開放可能となる。
【００３２】
この後、上記と同様に、蓋体２を開いて内部の回路基板９の点検、調整などを行なった後、再び蓋体２を閉じて基板ケース１を封印する場合、図１１に示すように、係止ダイヤル１０を時計方向に回し、外周に突出する第３係止爪Ｔ３を係止部３の係止凹部３ａ内に進入させ、係止面３ｂに第２係止爪Ｔ２が当接するまでダイヤルを回動させる。上記の如く、係止ダイヤル１０の軸部１０ａにはラチェット機構１７が装着されているため、第３係止爪Ｔ３が係止凹部３ａ内に進入し係止面３ｂに当接した状態で係止ダイヤル１０はロックされ、基板ケース１の蓋体２は閉鎖状態を保持されて、第３回目の封印が行なわれる。
【００３３】
第３回目の封印を開封する場合、図１１の下図に示すように、第３係止爪Ｔ３を係止ダイヤル１０内に押し込む。このとき、係止爪部材２０が係止ダイヤル１０内に進入し、このとき、係止爪部材２０の逆止片２０ａが係止壁１０ｂから外れ、その内側（軸部１０ａ側）に離脱する。この際、逆止片２０ａが拡開するため、係止壁１０ｂ内に戻ることはできず、図１１の下図に示すように、第３係止爪Ｔ３のダイヤル内への押し込み状態は保持される。よって、同図のように、係止ダイヤル１０による係止は解除されて開封状態となり、基板ケース１の蓋体２は開放可能となる。
【００３４】
この後、上記と同様に、蓋体２を開いて内部の回路基板９の点検、調整などを行なった後、再び蓋体２を閉じて基板ケース１を封印する場合、図１２に示すように、係止ダイヤル１０を時計方向に回し、外周に突出する第４係止爪Ｔ４を係止部３の係止凹部３ａ内に進入させ、係止面３ｂに第２係止爪Ｔ２が当接するまでダイヤルを回動させる。上記の如く、係止ダイヤル１０の軸部１０ａにはラチェット機構１７が装着されているため、第３係止爪Ｔ３が係止凹部３ａ内に進入し係止面３ｂに当接した状態で係止ダイヤル１０はロックされ、基板ケース１の蓋体２は閉鎖状態を保持されて、第４回目の封印が行なわれる。
【００３５】
このように、一度封印し開封した係止爪は再度使用できないため、予め係止ダイヤル１０に装着され係止爪の数（この例では第１係止爪Ｔ１〜第４係止爪Ｔ４の４個）だけ封印することができる。また、係止爪は係止ダイヤル１０内に押し込んで開封するため、従来のように封印部などを引き千切ることによる塵が発生することがなくなる。また、係止ダイヤル１０を交換すれば、基板ケース１や蓋体２などを再利用することができ、部品のリサイクル性を向上させることができる。
【００３６】
なお、上記実施形態では、遊技機の基板ケースに適用した例を説明したが、基板ケース以外のケースであって、その蓋体に開封制限を設けた封印装置に本発明を適用することも可能である。また、上記では、蓋体２の一部に係止ダイヤル１０を取り付け、係止部３をケース本体１ａに設けたが、ケース本体の一部に係止ダイヤル１０を取り付け、係止部３を蓋体に設けることもできる。
【図面の簡単な説明】
【００３７】
【図１】本発明の一実施形態を示す開封数制限用封印装置を取り付けた基板ケースの平面図である。
【図２】同基板ケースの正面図である。
【図３】同基板ケースの係止ダイヤルを含む切断線による断面図である。
【図４】係止ダイヤルと係止部の水平方向切断を示す拡大部分断面図である。
【図５】係止ダイヤルの回動部と係止部におけるラチェット機構を示す拡大部分断面図である。
【図６】係止ダイヤルの回動部と係止部における回動部を示す拡大部分断面図である。
【図７】係止爪を押し込んだ状態の、係止ダイヤルと係止部の水平方向切断を示す拡大部分断面図である。
【図８】係止爪の断面図である。
【図９】係止ダイヤルの装着時の部分拡大平面図である。
【図１０】係止ダイヤルを回して第１係止爪Ｔ１を係止部に係止させた際の部分拡大平面図である。
【図１１】係止ダイヤルを回して第３係止爪Ｔ３を係止部に係止させた際の部分拡大平面図である。
【図１２】係止ダイヤルを回して最後の第４係止爪Ｔ４を係止部に係止させた際の部分拡大平面図である。
【符号の説明】
【００３８】
１      基板ケース
１ａ    ケース本体
２      蓋体
３      係止部
３ａ    係止凹部
３ｂ    係止面
４      環状嵌合部
９      回路基板
Ｔ１    第１係止爪
Ｔ２    第２係止爪
Ｔ３    第３係止爪
Ｔ４    第４係止爪
１０    係止ダイヤル
１０ａ  軸部
１０ｂ  係止壁
１５    支持円筒部
１６    回動部
１７    ラチェット機構
１７ａ  ラチェット爪
１７ｂ  ラチェット係止部
２０    係止爪部材
２０ａ  逆止片
２１    爪支持部材
【図１】
2008104634.tif 000003
【図２】
2008104634.tif 000004
【図３】
2008104634.tif 000005
【図４】
2008104634.tif 000006
【図５】
2008104634.tif 000007
【図６】
2008104634.tif 000008
【図７】
2008104634.tif 000009
【図８】
2008104634.tif 000010
【図９】
2008104634.tif 000011
【図１０】
2008104634.tif 000012
【図１１】
2008104634.tif 000013
【図１２】
2008104634.tif 000014